(57)【特許請求の範囲】
【請求項１】
操作ボタンと、
一端が前記操作ボタンに連接して固定され、他端には係合溝が開設される伝動部材と、
前記ハウジングに回動可能に連接される回動端及び前記回動端に相対する積載端からなる脚部と、前記脚部に滑動可能に連接される調整部材と、前記調整部材に係合する係止部材と、を備える調整脚と、
を備え、且つプロジェクターのハウジングに装着される高さ調整装置であって、
前記調整部材の前記係止部材に相対する片側には、前記操作ボタンの移動方向に対して平行な方向に沿って複数の鋸歯状凸部が設置され、
前記係止部材には、前記鋸歯状凸部に係合する複数の鋸歯状凹部及び前記係合溝に相対して前記係合溝に収容できる係合部が設置され、
前記操作ボタンが押圧された場合、前記係合部が前記係合溝に入るので、前記鋸歯状凹部と前記鋸歯状凸部とが分離することによって、前記回動端に関して前記脚部を回動させながら、前記積載端を下向きに降下させることを特徴とする高さ調整装置。
【請求項２】
前記操作ボタンは、押圧端と、前記押圧端に対応する連接端と、前記押圧端及び連接端を連接する枠と、前記枠の中に位置して前記操作ボタンの移動方向に対して平行に配置されるカムピンと、第一スプリングと、を備え、前記ハウジングに前記カムピンに対応する係止部が設置され、前記第一スプリングは、前記第一スプリングを前記カムピンの周りに被せて設置して前記係止部に当接し、前記伝動部材は、前記連接端に連接することを特徴とする請求項１に記載の高さ調整装置。
【請求項３】
前記操作ボタンは、前記ハウジングに移動可能に設置され、前記ハウジングは、前記操作ボタンの両側に設置されている少なくとも２つの第一フック爪を備えることを特徴とする請求項１に記載の高さ調整装置。
【請求項４】
前記伝動部材は、前記ハウジングに移動可能に設置され、前記ハウジングは、前記伝動部材の両側に設置されている少なくとも２つの第二フック爪を備えることを特徴とする請求項２に記載の高さ調整装置。
【請求項５】
前記脚部における互いに対して平行に形成される２つの第一側壁を備える溝が開設され、前記調整部材及び前記係止部材は、前記溝の互いに対して平行に形成される２つの第一側壁の間に設置され、該２つの第一側壁のうちの１つの第一側壁に案内溝が開設され、前記調整部材における前記案内溝に収容して前記案内溝に沿って滑るバンプが設置されることを特徴とする請求項３に記載の高さ調整装置。
【請求項６】
前記調整脚は、位置決め部材及び第二スプリングをさらに備え、前記係止部材は、前記調整部材に相対する第二側壁を備え、前記位置決め部材は、前記調整部材と前記第二側壁との間に位置して前記第二側壁に相対する第三側壁を備え、前記第二スプリングは、前記第二側壁と前記第三側壁との間に設置されることを特徴とする請求項５に記載の高さ調整装置。
【請求項７】
前記第二側壁には、第一収容溝が開設され、前記第三側壁には、第一収容溝に相対する第二収容溝が開設され、前記第二スプリングの一端が前記第一収容溝の中に設置され、他端が前記第二収容溝の中に設置されることを特徴とする請求項６に記載の高さ調整装置。
【請求項８】
前記調整部材は、その軸方向に沿って前記支持部材を収容する収容孔が設けられ、前記調整脚は、前記収容孔に収容する支持部材を備えることを特徴とする請求項６に記載の高さ調整装置。
【請求項９】
請求項１から８のいずれか一項に記載の高さ調整装置と、
第一開口部と、前記第一開口部に相対して設置される収容部と、前記収容部と互いに連通する第二開口部と、を備えるハウジングと、
を備え、
操作ボタンの調整脚から離れている一端は、前記第一開口部から露出し、脚部が前記収容部に収容し、調整部が前記第二開口部からプロジェクターの内部へ延在することを特徴とするプロジェクター。
【発明の詳細な説明】
【技術分野】
【０００１】
本発明は、高さ調整装置及びこれを備えたプロジェクターに関する。
【背景技術】
【０００２】
プロジェクターが画像をスクリーン上に投射する時、プロジェクターが置かれた投射台に制限されて、即ちテーブル表面の高度又は水平度に制限されて、スクリーン上に投射された画像が変形するため、プロジェクターの底部に高度を調整することができる調整脚を設置して画像が変形する現象を改善しなければならない。
【０００３】
従来の技術において、プロジェクターの高さ調整装置は、前記プロジェクターの両側に螺合する調整ボルトからなる回転式高度調整装置であり、調整ボルト毎は、投射台に接触する頭部及び前記頭部に接続するネジ部を備える。前記プロジェクターにねじ孔部を設置して、前記調整ボルトのネジ部をねじ穴部に螺合する。前記頭部が投射台に接触し且つ前記プロジェクターの部分の重量を積載するため、前記頭部と前記投射台との間に摩擦力が生じる。前記調整ボルトの延在長さを調整しようとする時、使用者は、前記摩擦力より大きい外力を提供しなければ前記調整ボルトを効果的に回転することができないため、常に苦労すると感じる。なお、使用者が前記調整ボルトを何度も回転させても、前記プロジェクターの高度を少しばかり上昇するか又は下降することができ、調整速度が非常に遅い。
【発明の概要】
【発明が解決しようとする課題】
【０００４】
本発明の第一の目的は、前記課題を解決するために、調整速度が速い高さ調整装置を提供することである。
【０００５】
本発明の第二の目的は、前記課題を解決するために、調整速度が速いプロジェクターを提供することである。
【課題を解決するための手段】
【０００６】
前記第一の目的を達成するために、本発明に係る高さ調整装置は、操作ボタンと、一端が前記操作ボタンに連接して固定され、他端に係合溝が開設される伝動部材と、前記ハウジングに回動可能に連接される回動端及び前記回動端に相対する積載端からなる脚部と、前記脚部に滑動可能に連接される調整部材と、前記調整部材に係合する係止部材と、を備える調整脚と、を備え、且つプロジェクターのハウジングに装着される。前記調整部材の前記係止部材に相対する片側には、前記操作ボタンの移動方向に対して平行な方向に沿って複数の鋸歯状凸部が設置され、前記係止部材には、前記鋸歯状凸部に係合する複数の鋸歯状凹部及び前記係合溝に相対して前記係合溝に収容できる係合部が設置され、前記操作ボタンが押圧された場合、前記係合部が前記係合溝に入るので、前記鋸歯状凹部と前記鋸歯状凸部とが分離することによって、前記回動端に関して前記脚部を回動させながら、前記積載端を下向きに降下させる。
【０００７】
前記第二の目的を達成するために、本発明に係るプロジェクターは、本願発明による高さ調整装置と、第一開口部と、前記第一開口部に相対して設置される収容部と、前記収容部と互いに連通する第二開口部と、を備えるハウジングと、を備える。操作ボタンの調整脚から離れている一端は、前記第一開口部から露出し、脚部が前記収容部に収容し、調整部が前記第二開口部からプロジェクターの内部へ延在する。
【発明の効果】
【０００８】
従来の技術と比べると、本発明に係る高さ調整装置及びこれを備えたプロジェクターにおいて、高さを調整する時、操作ボタンの押圧端を押圧するだけで、係合部を係合溝に入ることによって鋸歯状凹部を鋸歯状凸部から分離させ、脚部を降下させる。適当な位置に達した時、操作ボタンの押圧端を放すと、第一スプリングの弾力が回復して係合端の端部を再び係止部材に当接させ、鋸歯状凹部と鋸歯状凸部とが再び係合し、脚部の適当な位置に安定して固定することができる。従って、プロジェクターの高さを容易に調整することができ、調整速度が速くて、且つ省力である。
【図面の簡単な説明】
【０００９】
【図１】本発明に係るプロジェクターの立体組立図である。
【図２】図１に示すプロジェクターの立体分解図である。
【図３】図１に示すプロジェクターの別の視角からの立体分解図である。
【図４】図１に示すプロジェクターの断面図である。
【図５】図１に示すプロジェクターの使用状態の断面図である。
【図６】図１に示すプロジェクターの別の視角からの使用状態の断面図である。
【発明を実施するための形態】
【００１０】
以下、図面を参照して、本発明の実施例について説明する。
【００１１】
図１及び図２を参照すると、本発明の実施例に係るプロジェクター１０は、ハウジング２０及び高さ調整装置３０を備える。
【００１２】
前記ハウジング２０は、第一開口部２１と、前記第一開口部２１に相対して設置される収容部２２と、前記収容部２２と互いに連通する第二開口部２３と、前記第一開口部２１に相対して設置される係止部２４と、２個の第一フック爪２５と、４個の第二フック爪２６と、を備える。前記２個の第一フック爪２５及び前記４個の第二フック爪２６は、前記第一開口部２１と前記第二開口部２３との間に交互に配置される。
【００１３】
前記高さ調整装置３０は、操作ボタン３１と、伝動部材３２と、調整脚３３と、を備える。
【００１４】
前記操作ボタン３１は、押圧端３１１と、前記押圧端３１１に対応する連接端３１２と、前記押圧端３１１及び連接端３１２を連接する枠３１３と、前記枠３１３の中に位置して前記操作ボタン３１の移動方向に対して平行に配置されるカムピン３１４と、第一スプリング３１５と、を備える。前記押圧端３１１は、前記第一開口部２１から露出する。前記係止部２４は、前記カムピン３１４に相対して設置され、前記第一スプリング３１５を前記カムピン３１４の周りに被せて設置することによって前記第一スプリング３１５を定位させる。前記操作ボタン３１を放すと、前記第一スプリング３１５の弾力が回復することによって、前記押圧端３１１を元の位置に回復させる。前記２個の第一フック爪２５は、前記操作ボタン３１の両側に位置して、前記操作ボタン３１に対して位置決めをする。従って、前記押圧端３１１が押圧された場合、前記操作ボタン３１を押圧方向に沿って移動させることによって、前記高さ調整装置３０の安定性を確保する。
【００１５】
前記伝動部材３２は、伝動端３２１及び前記伝動端３２１に相対する係合端３２２を備える。前記係合端３２２には、係合溝３２２ａが開設されている。前記伝動端３２１は、連接端３１２に連接して固定される。前記４個の第二フック爪２６は、前記伝動部材３２の両側に位置して前記伝動部材３２に対して位置決めする。従って、前記伝動部材３２が動作した場合、前記伝動部材３２を前記押圧端３１１の押圧方向に沿って移動させることによって、前記伝動部材３２の安定性を確保する。前記第二フック爪２６の数量は、前記伝動部材３２の長さ及び強さに応じて確定することができ、例えば、前記伝動部材３２の長さが長ければ、前記第二フック爪２６の数量が増加し、それによって全体の構造の安定性を確保する。また、前記伝動部材３２の長さが短ければ、前記第二フック爪２６の数量が減少し、それによって必要がない浪費及び作業量の増加を免れる。
【００１６】
前記調整脚３３は、脚部３３１と、調整部材３３２と、係止部材３３３と、位置決め部材３３４と、第二スプリング３３５と、支持部材３３６と、を備える。
【００１７】
前記脚部３３１は、前記ハウジング２０に回動可能に連接される回動端３３１ａ及び前記回動端３３１ａに相対する積載端３３１ｂを備える。前記脚部３３１には、溝３４が開設されている。前記溝３４は、互いに対して平行に形成される２つの第一側壁３４１を備え、それの１つの第一側壁３４１には、案内溝３４１ａが開設されている。前記調整部材３３２と前記係止部材３３３とは、互いに係合して前記溝３４の２つの第一側壁３４１の間に設置される。
【００１８】
図３を参照すると、前記調整部材３３２には、前記案内溝３４１ａに収容されて、前記案内溝３４１ａに沿って滑るバンプ３３２ａが設置されている。前記調整部材３３２及び前記脚部３３１は、前記バンプ３３２ａ及び前記案内溝３４１ａによって滑動可能に連接される。
【００１９】
前記調整部材３３２の前記係止部材３３３に相対する片側には、前記操作ボタン３１の移動方向に対して平行な方向に沿って複数の鋸歯状凸部３３２ｂが設置されている。前記鋸歯状凸部３３２ｂの数量は、前記調整部材３３２の長さに応じて確定される。前記鋸歯状凸部３３２ｂの数量は、多ければ多いほど調整可能の高さが高くなることを意味する。前記鋸歯状凸部３３２ｂの密度は、大きければ大きいほど調整可能の精度が高くなることを意味する。前記調整部材３３２には、その軸方向に沿って前記支持部材３３６を収容する収容孔３３２ｃが設けられている。前記支持部材３３６が鋼又は鉄のような材料からなるため、前記調整部材３３２の強さを増加し、且つ前記調整部材３３２の重量を増加することができる。従って、前記プロジェクター１０の高さを調整する場合、前記調整部材３３２がそれ自身の重力を受けることによって下方向に移動させやすい。
【００２０】
前記係止部材３３３には、前記鋸歯状凸部３３２ｂに係合する複数の鋸歯状凹部３３３ａが設置されている。前記鋸歯状凹部３３３ａの数量は、前記調整部材３３２が前記係止部材３３３に係合する長さに応じて確定される。前記鋸歯状凹部３３３ａの数量は、多ければ多いほど効果的に負荷し、しっかり係合することができる。前記係止部材３３３の前記鋸歯状凹部３３３ａに対して平行に相対する片側には、前記係合溝３２２ａに収容する係合部３３３ｂが設置されている。前記係止部材３３３は、前記調整部材３３２に相対する第二側壁３３３ｃを備える。
【００２１】
図４を参照すると、前記位置決め部材３３４は、前記脚部３３１に設置されて前記調整部材３３２及び前記係止部材３３３を固定する。前記位置決め部材３３４は、前記調整部材３３２と前記第二側壁３３３ｃとの間に位置して前記第二側壁３３３ｃに相対する第三側壁３３４ａを備える。前記第二側壁３３３ｃには、第一収容溝３３３ｄが開設されている。前記第三側壁３３４ａには、第一収容溝３３３ｄに相対する第二収容溝３３４ｂが開設されている。前記第二スプリング３３５の一端を前記第一収容溝３３３ｄの中に設置し、他端を前記第二収容溝３３４ｂの中に設置することによって前記第二スプリング３３５を圧縮状態になることにして前記第二側壁３３３ｃと前記第三側壁３３４ａとの間に収容される。従って、前記第二スプリング３３５の両端は、それぞれ前記第一収容溝３３３ｄ及び前記第二収容溝３３４ｂに収容するため、前記第二スプリング３３５の位置を容易に変化させることなく、構造が更に堅固である。勿論、前記第二スプリング３３５は、前記第二側壁３３３ｃ又は前記第三側壁３３４ａにカムピンを設置することによって、構造を更に堅固させる。
【００２２】
前記高さ調整装置３０を組み立てる時、先ず前記操作ボタン３１を前記プロジェクター１０のハウジング２０に設置して前記操作ボタン３１の押圧端３１１を前記第一開口部２１から露出させ、且つ前記２個の第一フック爪２５を前記操作ボタン３１の両側に位置させる。前記第一スプリング３１５を前記カムピン３１４の周りに被せて設置して前記係止部２４に当接する。前記伝動部材３２の伝動端３２１と前記操作ボタン３１の連接端３１２とを連接して固定するとともに、前記４個の第二フック爪２６を前記伝動部材３２の両側に位置させる。前記伝動部材３２の係合端３２２を前記第二開口部に挿入し、前記調整部材３３２のバンプ３３２ａを前記案内溝３４１ａの中に設置して前記バンプ３３２ａを前記案内溝３４１ａに沿って滑らせる。前記係止部材３３３を前記収容部２２に収容して前記鋸歯状凹部３３３ａによって前記調整部材３３２の鋸歯状凸部３３２ｂに係合する。前記調整部材３３２及び前記係止部材３３３を前記位置決め部材３３４の中に設置し、前記第二スプリング３３５の一端を前記第一収容溝３３３ｄに収容し、他端を前記第二収容溝３３４ｂに収容することによって、前記第二スプリング３３５を圧縮状態にさせるように前記第二側壁３３３ｃと前記第三側壁３３４ａとの間に収容される。前記脚部３３１の回動端３３１ａは、前記収容部２２に回動可能に設置され、且つ前記調整部材３３２は、第二開口部２３から前記プロジェクター１０の内部へ延在することによって前記係合端３２２の端部を前記係止部材３３３に当接させる。前記支持部材３３６を前記収容孔３３２ｃに収容する。
【００２３】
図５及び図６を一緒に参照すると、前記プロジェクター１０の高さを調整する時、前記操作ボタン３１の押圧端３１１を押圧すると、前記第二スプリング３３５が圧力を受けて変形するとともに、前記係止部材３３３の係合部３３３ｂを前記係合端３２２の係合溝３２２ａに入るので、前記鋸歯状凹部３３３ａと前記鋸歯状凸部３３２ｂとが分離する。前記鋸歯状凸部３３２ｂと前記鋸歯状凹部３３３ａとの係合を解除すると、前記調整部材３３２及び前記脚部３３１が重力の影響を受けるので、前記回動端３３１ａに関して前記脚部３３１を回動させながら前記調整部材３３２及び前記脚部３３１の積載端３３１ｂを下向きに降下させるとともに、前記バンプ３３２ａが前記案内溝３４１ａに沿って滑ることができる。次いで、適当な位置に達した時、前記操作ボタン３１の押圧端３１１を放すと、前記第一スプリング３１５の弾力が回復して前記係合端３２２の端部を再び前記係止部材３３３に当接させ、前記第二スプリング３３５を再び圧縮状態になることにし、前記鋸歯状凹部３３３ａと前記鋸歯状凸部３３２ｂとが再び係合し、前記調整部材３３２及び前記脚部３３１は、係合して固定される。勿論、前記第二スプリング３３５の弾力は、前記第一スプリング３１５の弾力より大きければならない。
【００２４】
本発明に係る高さ調整装置３０及びこれを備えたプロジェクター１０は、高さを調整する時、前記操作ボタン３１の押圧端３１１を押圧するだけで、係合部３３３ｂを係合溝３２２ａに入ることによって前記鋸歯状凹部３３３ａを前記鋸歯状凸部３３２ｂから分離させ、前記脚部３３１を降下させる。適当な位置に達した時、前記操作ボタン３１の押圧端３１１を放すと、前記第一スプリング３１５の弾力が回復して前記係合端３２２の端部を再び前記係止部材３３３に当接させ、前記鋸歯状凹部３３３ａと前記鋸歯状凸部３３２ｂとが再び係合し、前記脚部３３１の適当な位置に安定して固定することができる。従って、プロジェクターの高さを調整し易くなり、調整速度が速く、且つ力を省くことができる。
【００２５】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、以下の特許請求の範囲から決まる。
【符号の説明】
【００２６】
１０  プロジェクター
２０  ハウジング
２１  第一開口部
２２  収容部
２３  第二開口部
２４  係止部
２５  第一フック爪
２６  第二フック爪
３０  高さ調整装置
３１  操作ボタン
３２  伝動部材
３３  調整脚
３１１  押圧端
３１２  連接端
３１３  枠
３１４  カムピン
３１５  第一スプリング
３２１  伝動端
３２２  係合端
３２２ａ  係合溝
３３１  脚部
３３１ａ  回動端
３３１ｂ  積載端
３３２  調整部材
３３２ａ  バンプ
３３２ｂ  鋸歯状凸部
３３２ｃ  収容孔
３３３  係止部材
３３３ａ  鋸歯状凹部
３３３ｂ  係合部
３３３ｃ  第二側壁
３３３ｄ  第一収容溝
３３４  位置決め部材
３３４ａ  第三側壁
３３４ｂ  第二収容溝
３３５  第二スプリング
３３６  支持部材
３４１  第一側壁
３４１ａ  案内溝
【図１】
0005426495.tif 000002
【図２】
0005426495.tif 000003
【図３】
0005426495.tif 000004
【図４】
0005426495.tif 000005
【図５】
0005426495.tif 000006
【図６】
0005426495.tif 000007